(57)【要約】【課題】家庭用電器製品（電気機器）の電源の切り忘れを防止することが可能な電気機器ネットワークシステムを提供することを目的とする。【解決手段】制御用端末１は、家庭用電器製品７が自端末から電波の届く範囲に存在するか否かを確認する家電検出手段４と、家庭用電器製品７が自端末から電波の届く範囲に存在しなくなったとき、警告を発するユーザ警告手段５とを有し、これにより、ユーザが家庭用電器製品の電源の切り忘れを防止することができる電気機器ネットワークシステムを提供することができる。【選択図】図１
2006196955.tif 000002
【特許請求の範囲】
【請求項１】
電源スイッチの開閉命令を発信する制御用端末と前記開閉命令を受信してその内容に応じて電源スイッチを入り切りする電気機器とがネットワークにて接続されてなる電気機器ネットワークシステムであって、
前記制御用端末は、
前記電気機器が自端末から電波の届く範囲に存在するか否かを確認する機器検出手段と、
前記電気機器が自端末から電波の届く範囲に存在しなくなったとき、警告を発する警告手段とを有する
ことを特徴とする電気機器ネットワークシステム。
【請求項２】
電源スイッチの開閉命令を発信する制御用端末と前記開閉命令を受信してその内容に応じて電源スイッチを入り切りする電気機器とがネットワークにて接続されてなる電気機器ネットワークシステムであって、
前記電気機器は、
前記制御用端末が自機器から電波の届く範囲に存在するか否かを確認する端末検出手段と、
前記制御用端末が自機器から電波の届く範囲に存在しなくなったとき、電源スイッチを切る電源スイッチ切替手段とを有している
ことを特徴とする電気機器ネットワークシステム。
【請求項３】
電源スイッチの開閉命令を発信する制御用端末と前記開閉命令を受信してその内容に応じて電源スイッチを入り切りする電気機器とがネットワークにて接続されてなる電気機器ネットワークシステムであって、
前記制御用端末は、
前記電気機器が自端末から電波の届く範囲に存在するか否かを確認する機器検出手段と、
前記電気機器が自端末から電波の届く範囲に存在しなくなったとき、警告を発する警告手段とを有し、
前記電気機器は、
前記制御用端末が自機器から電波の届く範囲に存在するか否かを確認する端末検出手段と、
前記制御用端末が自機器から電波の届く範囲に存在しなくなったとき、電源スイッチを切る電源スイッチ切替手段とを有している
ことを特徴とする電気機器ネットワークシステム。
【請求項４】
前記制御用端末の前記機器検出手段は、
所定の時間間隔で前記電気機器にフレームを送信し続けるとともに、前記電気機器の応答フレームを受信し、該応答フレームが正常に戻って来ているか否かにより、前記電気機器が電波の届く範囲に存在するか否かを確認し、
前記電気機器は、前記フレームを受信し、これに応じて前記応答フレームを送信する応答手段を有する
ことを特徴とする請求項１または３に記載の電気機器ネットワークシステム。
【請求項５】
前記電気機器の前記端末検出手段は、
他の電気機器に前記制御用端末の位置を確認するフレームを送信し、該フレームの応答フレームの内容により、前記制御用端末が電波の届く範囲に存在するか否かを確認する
ことを特徴とする請求項２または３に記載の電気機器ネットワークシステム。
【発明の詳細な説明】
【技術分野】
【０００１】
本発明は、ホームネットワーキング技術に関するもので、例えば通信ネットワークで接続された家庭用電器製品等の電気機器の電源スイッチを制御用端末にて開閉制御する電気機器ネットワークシステムに関するものである。
【背景技術】
【０００２】
図９は従来の電気機器ネットワークシステムの構成を示すブロック図である。図９において、制御用端末６１は、電源ＯＮ／ＯＦＦ命令送信手段６２を有している。家庭用電器製品６４は、電源ＯＮ／ＯＦＦ命令受信手段６５および電源スイッチ切替手段６６を有している。制御用端末６１と家庭用電器製品６４とは、ＬＡＮ６３によって接続されている。
【０００３】
このような構成の従来の電気機器ネットワークシステムの制御手順動作について図１０に沿って説明する。図１０は従来の電気機器ネットワークシステムにおいて、制御用端末が家庭用電器製品の制御を行う場合の動作を示すフローチャートである。図１０において、制御用端末６１は、電源ＯＮ／ＯＦＦ命令送信手段６２により電波にて電源ＯＮ／ＯＦＦ命令を送信する（ステップ１）。家庭用電器製品６４は、電源ＯＮ／ＯＦＦ命令受信手段６５によりこの命令を受信する（ステップ２）。電源スイッチ切替手段６６により家庭用電器製品６４の電源をＯＮまたはＯＦＦにする（ステップ３）。このようなネットワーク内の機器の機器使用情報を通知する方法としては、例えば、（特許文献１）に記載のネットワーク対応電気機器装置がある。
【特許文献１】特開２００３−１６９１８９号公報
【発明の開示】
【発明が解決しようとする課題】
【０００４】
このように家庭用電器製品を制御するために制御用端末が用いられるが、一般的に家庭用電器製品を制御するのみで家庭用電器製品の状態の把握等は行わない。現在家庭内には多数の家庭用電器製品があり、例えば外出の際に、全ての家庭用電器製品の電源状態をチェックするのは煩雑な作業であり、電源の切り忘れ等が発生してしまうことがあるという未解決の課題を有している。
【０００５】
本発明は、上記した課題を解消するためになされたもので、制御用端末が家庭用電器製品を制御できない範囲まで遠ざかると警告を発する。これにより、ユーザが家庭用電器製品の電源の切り忘れを防止することができる電気機器ネットワークシステムを提供することを目的とする。
【課題を解決するための手段】
【０００６】
上記課題を解決するために、本発明の電気機器ネットワークシステムは、制御用端末が、家庭用電器製品（電気機器）が自端末から電波の届く範囲に存在するか否かを確認する機器検出手段と、家庭用電器製品（電気機器）が自端末から電波の届く範囲に存在しなくなったとき、警告を発する警告手段とを有している。
【発明の効果】
【０００７】
この発明によれば、家庭用電器製品（電気機器）が制御用端末から電波の届く範囲に存在しなくなったとき、制御用端末が警告を発するので、ユーザは、家庭用電器製品の電源の切り忘れを防止することができる。
【発明を実施するための最良の形態】
【０００８】
この発明の請求項１に記載の電気機器ネットワークシステムは、電源スイッチの開閉命令を発信する制御用端末と開閉命令を受信してその内容に応じて電源スイッチを入り切りする電気機器とがネットワークにて接続されてなる電気機器ネットワークシステムであって、制御用端末は、電気機器が自端末から電波の届く範囲に存在するか否かを確認する機器検出手段と、電気機器が自端末から電波の届く範囲に存在しなくなったとき、警告を発する警告手段とを有することを特徴とする。この構成により、電気機器が制御用端末から電波の届かない位置まで移動してしまったときにユーザに警告を発するという作用を有する。
【０００９】
この発明の請求項２に記載の電気機器ネットワークシステムは、電源スイッチの開閉命令を発信する制御用端末と開閉命令を受信してその内容に応じて電源スイッチを入り切りする電気機器とがネットワークにて接続されてなる電気機器ネットワークシステムであって、電気機器は、制御用端末が自機器から電波の届く範囲に存在するか否かを確認する端末検出手段と、制御用端末が自機器から電波の届く範囲に存在しなくなったとき、電源スイッチを切る電源スイッチ切替手段を有することを特徴とする。この構成により、電気機器が制御用端末から電波の届かない位置まで移動してしまったときに、電気機器は自機器の電源スイッチを切るという作用を有する。
【００１０】
この発明の請求項３に記載の電気機器ネットワークシステムは、電源スイッチの開閉命令を発信する制御用端末と開閉命令を受信してその内容に応じて電源スイッチを入り切りする電気機器とがネットワークにて接続されてなる電気機器ネットワークシステムであって、制御用端末は、電気機器が自端末から電波の届く範囲に存在するか否かを確認する機器検出手段と、電気機器が自端末から電波の届く範囲に存在しなくなったとき、警告を発する警告手段とを有し、電気機器は、制御用端末が自機器から電波の届く範囲に存在するか否かを確認する端末検出手段と、制御用端末が自機器から電波の届く範囲に存在しなくなったとき、電源スイッチを切る電源スイッチ切替手段とを有することを特徴とする。この構成により、電気機器が制御用端末から電波の届かない位置まで移動してしまったときに、制御用端末がユーザに警告を発するとともに、電気機器は自機器の電源スイッチを切るという作用を有する。
【００１１】
この発明の請求項４に記載の電気機器ネットワークシステムは、請求項１または３に記載の電気機器ネットワークシステムにおいて、制御用端末の機器検出手段は、所定の時間間隔で電気機器にフレームを送信し続けるとともに、電気機器の応答フレームを受信し、該応答フレームが正常に戻って来ているか否かにより、電気機器が電波の届く範囲に存在するか否かを確認し、電気機器は、フレームを受信し、これに応じて応答フレームを送信する応答手段を有することを特徴とする。この構成により、電気機器が制御用端末から電波の届く位置に存在しているか否かを確実に検出することができる。
【００１２】
この発明の請求項５に記載の電気機器ネットワークシステムは、請求項２または３に記載の電気機器ネットワークシステムにおいて、電気機器の端末検出手段は、他の電気機器に制御用端末の位置を確認するフレームを送信し、該フレームの応答フレームの内容により、制御用端末が電波の届く範囲に存在するか否かを確認することを特徴とする。この構成により、異なる場所に位置する複数の電気機器が、それぞれの位置において制御用端末からの電波状態を確認することにより誤検出することなしに制御用端末の位置を検出するという作用を有する。
【００１３】
以下、本発明の実施の形態について図１から図８までを用いて説明する。
【００１４】
（実施の形態１）
図１は本発明の電気機器ネットワークシステムの実施の形態１である家庭用電器製品ネットワークシステムの構成を示すブロック図である。本実施の形態の電気機器ネットワークシステムは、電源スイッチの開閉命令を発信する例えば携帯電話等の制御用端末１と、この制御用端末１が発信した開閉命令を受信してその内容に応じて電源スイッチを入り切りする家庭用電器製品７等の電気機器とがネットワークにて接続されてなるものである。
【００１５】
図１において、例えば携帯電話等の制御用端末１は、電気機器である家庭用電器製品７に向けて電源スイッチを入り切りする開閉命令（家電電源切替命令）を送信する家電電源切替命令送信手段（切替命令送信手段）２と、家庭用電器製品７の電源スイッチの開閉状態を記憶する家電電源状態保持手段３と、家庭用電器製品７が電波の届く範囲に存在するか否かを確認する家電検出手段（機器検出手段）４と、必要に応じてユーザに警告を発するユーザ警告手段（警告手段）５とを有している。
【００１６】
ここで、家電検出手段４は、所定に時間間隔で家庭用電器製品７に信号を送り、その応答信号を受け取ることで、家庭用電器製品７が自端末位置から電波の届く位置に存在しているか否かを検出する。また、制御用端末１は、制御対象の家庭用電器製品７のアドレスとその名称からなる図示しないテーブルを有しており、ユーザ警告手段５は、ユーザに対して家庭用電器製品７の状態に関する警告を発する際、図示しない画面に家庭用電器製品７の名称と警告の内容を表示する。このとき、警告音や振動を併せて発生させることもある。
【００１７】
一方、制御対象の電気機器である家庭用電器製品７は、制御用端末１が発信した家電電源切替命令を受信する家電電源切替命令受信手段８と、受信した家電電源切替命令の内容に応じて、電源スイッチを切り替える電源スイッチ切替手段９とを有している。
【００１８】
制御用端末１と家庭用電器製品７とは、ＬＡＮ６によって接続されている。ＬＡＮ６はＥｔｈｅｒｎｅｔ（登録商標）のような有線系ＬＡＮでもＩＥＥＥ８０２．１１やＢｌｕｅｔｏｏｔｈ等の無線系ＬＡＮでも電源ラインを使用したＬＡＮでもいずれのものでもよい。
【００１９】
次に動作を説明する。図２は本発明の実施の形態１の家庭用電器製品ネットワークシステムの動作を示すフローチャートである。図２において、まず、制御用端末１が、家電電源切替命令送信手段２により家庭用電器製品７に向けて電源ＯＮ命令を送信する（ステップ１）。次に、家庭用電器製品７が、家電電源切替命令受信手段８により電源ＯＮ命令を受信する（ステップ２）。家庭用電器製品７は、電源スイッチ切替手段９により電源をＯＮにする（ステップ３）。一方、制御用端末１は、家電電源状態保持手段３により家庭用電器製品７の電源状態を電源ＯＮ状態として記憶する（ステップ４）。
【００２０】
ここで、制御用端末１が、家庭用電器製品７から遠ざけられたとする（ステップ５）。制御用端末１は、家電検出手段４により家庭用電器製品７が遠ざかったことを検知する（ステップ６）。このとき、制御用端末１は、ユーザ警告手段５によりユーザに家庭用電器製品７の電源がＯＮのままであることを通知する（ステップ７）。
【００２１】
以上のように、本実施の形態の家庭用電器製品ネットワークシステムにおいては、家庭用電器製品７が制御用端末１に対して電波の届かない位置まで移動してしまったときに、制御用端末１はユーザに警告を発する。これにより、ユーザに家庭用電器製品７の電源の切り忘れを警告することができ、電源の切り忘れを防止することができ使い勝手が向上する。
【００２２】
（実施の形態２）
図３は本発明の電気機器ネットワークシステムの実施の形態２である家庭用電器製品ネットワークシステムの構成を示すブロック図である。図３において、本実施の形態の制御用端末１１は、家電応答要求フレームを作成する家電応答要求フレーム作成手段１２と、作成された家電応答要求フレームを所定の間隔で家庭用電器製品１９に送信する家電応答要求フレーム送信手段（機器検出手段）１３と、時間を計測するタイマ１４と、家庭用電器製品１９からの応答フレームを受信する家電応答フレーム受信手段１５と、フレームの内容を解析するフレーム解析手段１６とを有している。
【００２３】
一方、電気機器である家庭用電器製品１９は、家電応答要求フレームを受信する家電応答要求フレーム受信手段２０と、フレームの内容を解析するフレーム解析手段１６と、応答フレームを作成する家電応答フレーム作成手段２２と、作成された応答フレームを送信する家電応答フレーム送信手段（応答手段）２３とを有している。
【００２４】
次に動作を説明する。図４は本発明の実施の形態２の家庭用電器製品ネットワークシステムの動作を示すフローチャートである。図４において、まず、制御用端末１１は、家電応答要求フレーム作成手段１２により家電応答要求フレームを作成する（ステップ１）。家電応答要求フレーム送信手段１３により家電応答要求フレームを送信する（ステップ２）。タイマ１４のカウント動作を開始する（ステップ３）。
【００２５】
家庭用電器製品１９は、家電応答要求フレーム受信手段２０により家電応答要求フレームを受信する（ステップ４）。そして、フレーム解析手段１６によりフレームの内容を解析する（ステップ５）。家電応答フレーム作成手段２２により家電応答フレームを作成する（ステップ６）。家電応答フレーム送信手段２３により家電応答フレームを送信する（ステップ７）。
【００２６】
制御用端末１１は、家電応答フレーム受信手段１５により家電応答フレームを受信する（ステップ８）。フレーム解析手段１６によりフレームの内容を解析する（ステップ９）。フレームの内容が正常であれば家電電源状態保持手段３により家庭用電器製品１９の状態を「圏内」にし、タイマ１４を停止する（ステップ１０）。一方、家電応答フレームを受信した時刻が所定の時刻を過ぎていたり、また、フレームの内容が正常なものでなかったりした場合、家電電源状態保持手段３により家庭用電器製品１９の状態を「圏外」にする（ステップ１１）。
【００２７】
以上のように、本実施の形態の家庭用電器製品ネットワークシステムにおいては、制御用端末の家電応答要求フレーム送信手段（機器検出手段）１３は、所定の時間間隔で家庭用電器製品１９に家電応答要求フレームを送信し続けるとともに、家庭用電器製品１９が返信する家電応答要求フレームを受信し、この応答フレームが正常に戻って来ているか否かにより、家庭用電器製品１９が電波の届く範囲に存在するか否かを確認する。一方、家庭用電器製品１９は、家電応答要求フレームを受信し、これに応じて応答フレームを送信する家電応答フレーム送信手段（応答手段）２３を有する。この構成により、家庭用電器製品１９が制御用端末１１から電波の届く位置に存在しているか否かを確実に検出することができる。このように、制御用端末１１から要求フレームを家庭用電器製品１９に送信しその応答フレームを受信することにより家庭用電器製品が電波の届く範囲にいることを自動的に検出することができ使い勝手が向上する。
【００２８】
（実施の形態３）
図５は本発明の電気機器ネットワークシステムの実施の形態３である家庭用電器製品ネットワークシステムの構成を示すブロック図である。図５において、本実施の形態の家庭用電器製品３１は、制御用端末検知手段（端末検出手段）３２を有している。
【００２９】
次に動作を説明する。図６は本発明の実施の形態３の家庭用電器製品ネットワークシステムの動作を示すフローチャートである。図６において、まず、家庭用電器製品３１は、制御用端末検知手段３２により制御用端末３５を検知する（ステップ１）。電源スイッチ切替手段９により家庭用電器製品の電源をＯＮにする（ステップ２）。
【００３０】
ここで、制御用端末３５が家庭用電器製品３１から遠ざけられたとする（ステップ３）。家庭用電器製品３１は、制御用端末検知手段３２により制御用端末３５を検知しなくなる（ステップ４）。家庭用電器製品３１は、電源スイッチ切替手段９により家庭用電器製品の電源をＯＦＦにする（ステップ５）。
【００３１】
以上のように、本実施の形態の家庭用電器製品ネットワークシステムにおいては、家庭用電器製品３１は、制御用端末３５が自機器から波の届く範囲に存在するか否かを確認する制御用端末検知手段（端末検出手段）３２と、制御用端末３５が自機器から波の届く範囲に存在しなくなったとき、電源スイッチを切る電源スイッチ切替手段９を有する。このように、制御用端末３５を家庭用電器製品３１から遠ざけると家庭用電器製品３１の電源をＯＦＦにすることができ、家庭用電器製品３１の側まで行かなくてもよくなり使い勝手が向上する。
【００３２】
（実施の形態４）
図７は本発明の電気機器ネットワークシステムの実施の形態４である家庭用電器製品ネットワークシステムの構成を示すブロック図である。図７において、本実施の形態の第１の家庭用電器製品４１および第２の家庭用電器製品５０においては、制御用端末状態通知要求フレーム作成手段４３、制御用端末状態通知要求フレーム送信手段４４、制御用端末状態通知フレーム受信手段４５、および制御用端末状態通知要求フレーム受信手段５１を有している。なお、第１の家庭用電器製品４１および第２の家庭用電器製品５０は、全く同様な構成を有しているが、図７には次の図８のフローチャートによる動作説明に出現する構成要素のみを記載しており、その他の構成要素は省略している。
【００３３】
図８は本発明の実施の形態４の家庭用電器製品ネットワークシステムの動作を示すフローチャートである。図８において、まず、第１の家庭用電器製品４１が、制御用端末検知手段３２により制御用端末４９を検知しなくなる（ステップ１）と、第１の家庭用電器製品４１は、制御用端末状態通知要求フレーム作成手段４３により制御用端末状態通知要求フレームを作成する（ステップ２）。そして、制御用端末状態通知要求フレーム送信手段４４により第２の家庭用電器製品５０に制御用端末状態通知要求フレームを送信する（ステップ３）。
【００３４】
第２の家庭用電器製品５０は、制御用端末状態通知要求フレーム受信手段５１により制御用端末状態通知要求フレームを受信する（ステップ４）。そして、フレーム解析手段１６により受信したフレームを解析する（ステップ５）。第２の家庭用電器製品５０は、制御用端末検知手段３２により制御用端末を検知する（ステップ６）。制御用端末状態通知フレーム作成手段５４により制御用端末状態通知フレームを作成する（ステップ７）。そして、制御用端末状態通知フレーム送信手段５５により第１の家庭用電器製品４１に制御用端末状態通知フレームを送信する（ステップ８）。
【００３５】
第１の家庭用電器製品４１は、制御用端末状態通知フレーム受信手段４５により制御用端末状態通知フレームを受信する（ステップ９）。フレーム解析手段１６により受信したフレームを解析する（ステップ１０）。フレームの内容が「検知できなかった」であれば電源スイッチ切替手段９により電源をＯＦＦにする（ステップ１１）。「検知した」であれば何もしない。
【００３６】
ここで、第２の家庭用電器製品５０は１台以上存在することで、効果を得ることができるが、制御用端末４９の位置の確認において、第２の家庭用電器製品５０の数が多ければ多いほど正確なものとなる。
【００３７】
以上のように、本実施の形態の家庭用電器製品ネットワークシステムにおいては、第１の家庭用電器製品４１は、他の電気機器である第２の家庭用電器製品５０に制御用端末４９の位置を確認するフレームを送信し、このフレームの応答フレームの内容により、制御用端末４９が電波の届く範囲に存在するか否かを確認する。そのため、異なる場所に位置する複数の家庭用電器製品が、それぞれの位置において制御用端末４９からの電波状態を確認することにより誤検出することなしに制御用端末４９の位置を検出する。このように、複数の家庭用電器製品により制御用端末を検知して家庭用電器製品の電源をＯＮ／ＯＦＦするため、誤検知することがなくなり使い勝手が向上する。
【００３８】
上記実施の形態１から４の家庭用電器製品ネットワークシステムは、家庭用電器製品の電源のＯＮ／ＯＦＦ状況を制御用端末で検知することによって、家庭用電器製品の電源の切り忘れの防止を実現するという用途にも適用することができる。
【００３９】
なお、上記の実施の形態１から４では、家庭用電器製品が２台或いは３台の場合にて説明したが、実際には、家庭用電器製品が４台以上のものにも適用可能であり、家庭用電器製品が多数になるほど得られる効果も高い。
【００４０】
また、上記の実施の形態１から４では、家庭用電器製品を例にして説明しているが、このような、一般家庭における家庭用電器製品に限らず、事務所や会社或いは工場や公共施設等で使われる電気機器に適用可能であることは言うまでもない。
【産業上の利用可能性】
【００４１】
以上のように、本発明にかかる電気機器ネットワークシステムは、一般家庭はもとより、ビルディング或いは工場等の建築物の中に置かれた家電製品を始めとする各種電気機器が、ネットワークで相互に接続されてなる所謂ホームネットワーキングに好適なものであり、特に制御用端末としては、携帯電話、携帯用パソコンおよびＰＤＡといったモバイル機器に適用されて有用なものであり、これに対して、電気機器としては、パソコン、ファックス、エアコン、洗濯機、テレビ等の家庭用電器製品はもとより、給湯器、施錠装置および監視装置などに適用されて有用なものでる。
【図面の簡単な説明】
【００４２】
【図１】本発明の電気機器ネットワークシステムの実施の形態１である家庭用電器製品ネットワークシステムの構成を示すブロック図
【図２】本発明の実施の形態１の家庭用電器製品ネットワークシステムの動作を示すフローチャート
【図３】本発明の電気機器ネットワークシステムの実施の形態２である家庭用電器製品ネットワークシステムの構成を示すブロック図
【図４】本発明の実施の形態２の家庭用電器製品ネットワークシステムの動作を示すフローチャート
【図５】本発明の電気機器ネットワークシステムの実施の形態３である家庭用電器製品ネットワークシステムの構成を示すブロック図
【図６】本発明の実施の形態３の家庭用電器製品ネットワークシステムの動作を示すフローチャート
【図７】本発明の電気機器ネットワークシステムの実施の形態４である家庭用電器製品ネットワークシステムの構成を示すブロック図
【図８】本発明の実施の形態４の家庭用電器製品ネットワークシステムの動作を示すフローチャート
【図９】従来の電気機器ネットワークシステムの構成を示すブロック図
【図１０】従来の電気機器ネットワークシステムにおいて、制御用端末が家庭用電器製品の制御を行う場合の動作を示すフローチャート
【符号の説明】
【００４３】
１，１１，３５，４９    制御用端末
２    家電電源切替命令送信手段
３    家電電源状態保持手段
４    家電検出手段（機器検出手段）
５    ユーザ警告手段（警告手段）
６    ＬＡＮ
７，１９，３１    家庭用電器製品（電気機器）
８    家電電源切替命令受信手段
９    電源スイッチ切替手段
１２    家電応答要求フレーム作成手段
１３    家電応答要求フレーム送信手段（機器検出手段）
１４    タイマ（タイマ手段）
１５    家電応答フレーム受信手段
１６    フレーム解析手段
２０    家電応答要求フレーム受信手段
２２    家電応答フレーム作成手段
２３    家電応答フレーム送信手段（応答手段）
３２    制御用端末検知手段（端末検出手段）
４１    第１の家庭用電器製品（電気機器）
４３    制御用端末状態通知要求フレーム作成手段
４４    制御用端末状態通知要求フレーム送信手段
４５    制御用端末状態通知フレーム受信手段
５０    第２の家庭用電器製品（電気機器）
【図１】
2006196955.tif 000003
【図２】
2006196955.tif 000004
【図３】
2006196955.tif 000005
【図４】
2006196955.tif 000006
【図５】
2006196955.tif 000007
【図６】
2006196955.tif 000008
【図７】
2006196955.tif 000009
【図８】
2006196955.tif 000010
【図９】
2006196955.tif 000011
【図１０】
2006196955.tif 000012